(57)【特許請求の範囲】
【請求項１】
地中に埋設された既設雨水桝を加工して雨水浸透桝に改変するときに使用する雨水浸透桝用フィルタであって、
前記既設雨水桝の底部に形成された貫通穴の下方に突出するよう配置され、底蓋を有し網目状かつ中空筒状の下部フィルタ材と、
前記貫通穴の上方に突出するよう配置され、上蓋を有しかつ周面に複数の浸透孔が形成された中空筒状の上部フィルタ材と、
前記貫通穴に嵌め込んだ状態で固定され、前記下部フィルタ材と前記上部フィルタ材とを接続するための継手部材と、
前記継手部材の内側に設けられ、前記下部フィルタ材を通過して前記上部フィルタ材側に雨水または地下水が逆流することを防止するための逆流防止部材と
を備え、
前記逆流防止部材は、
前記既設雨水桝に流入した雨水を上部フィルタ材側から下部フィルタ材側に排水するための排水用貫通穴が形成された堰板と、前記排水用貫通穴を開閉するための弁体と、前記弁体を作動させるための水膨張性ゴムとを備え、
前記水膨張性ゴムは、水に浸かると膨張して前記弁体を押し上げることにより前記排水用貫通穴を閉状態とする一方、乾燥すると収縮して前記弁体を下降させることにより前記排水用貫通穴を開状態とする
ことを特徴とする雨水浸透桝用フィルタ。
【請求項２】
前記下部フィルタ材は、網目構造を有する網状円筒管を用いて形成され、前記上部フィルタ材は、前記下部フィルタ材よりも目の粗い網目構造を有する網状円筒管を用いて形成されていることを特徴とする請求項１に記載の雨水浸透桝用フィルタ。
【請求項３】
前記上部フィルタ材は、前記継手部材に対して着脱可能に設けられていることを特徴とする請求項１または２に記載の雨水浸透桝用フィルタ。
【請求項４】
前記上部フィルタ材は、その上端に径が大きな拡径部を有することを特徴とする請求項３に記載の雨水浸透桝用フィルタ。
【請求項５】
請求項１乃至４のいずれか１項に記載の雨水浸透桝用フィルタが装着された雨水浸透桝をメンテナンスする方法であって、
前記継手部材から前記上部フィルタ材を取り外す工程と、
前記下部フィルタ材の内側から高圧洗浄水を噴射することにより下部フィルタ材を洗浄した後、その下部フィルタ材の底部に残存している堆積物を吸引除去する工程と
を含むことを特徴とする雨水浸透桝のメンテナンス方法。
【発明の詳細な説明】
【技術分野】
【０００１】
本発明は、既設雨水桝を加工して雨水浸透桝に改変するときに使用する雨水浸透桝用フィルタ、及び雨水浸透桝のメンテナンス方法に関するものである。
【背景技術】
【０００２】
現在、市街地においては、コンクリートジャングルのように都市化が進み、地表面がコンクリートやアスファルトで舗装されている。その結果、雨水の浸透域が減少し、雨水による地表面での流出量が増大してきている。そのため、大雨時において雨水管渠などの排水設備に大きな負荷がかかり、都市洪水の原因となっている。また、下水管渠や雨水管渠の整備により、雨水が地中に浸透しないため、河川に流入する地下水が減少している。これにより、河川の自然浄化能力も失われつつあり、河川の水質汚濁などの原因となっている。
【０００３】
この対策として、道路や駐車場などの舗装路に降った雨水を地中に浸透させる雨水浸透桝が開発され、道路や駐車場の側溝部分に設置されている。また、河川や湖の浄化が必要な地域では、各家庭の敷地内において屋根などに降った雨水を地中に浸透させるために雨水浸透桝を設置することが自治体により推奨されており、その雨水浸透桝の設置に対して補助金を交付することで雨水浸透桝の普及が図られている。
【０００４】
ところで、従来の市街地においては、桝本体に浸透孔が設けられていない雨水桝が数多く設置されている。都市洪水の回避や河川などの浄化を目的として、それら雨水桝を浸透桝に置き換える場合、既設の雨水桝を舗装路の地中から取り除き、新たな浸透桝を設置する必要があるため、取替えコストが嵩んでしまう。また、道路の補修・改修工事の一部として浸透桝の設置工事を行うといった現状を考えると、浸透桝の施工数量が限られることから、浸透桝の製造コストも高くなる。
【０００５】
このため、近年では、地中に埋設された既設雨水桝を加工して雨水浸透桝に改変する技術が検討されている（例えば、特許文献１，２参照）。具体的には、既設雨水桝の底部に貫通穴を形成し、その貫通穴の下方に浸透部材（雨水浸透桝用フィルタ）を設置している。特許文献１において、浸透部材は、円筒状のガイドパイプとそのパイプ内に充填される樹脂製のフィルタ材とから構成されている。また、特許文献２では、浸透部材は、桝底部の貫通穴から下向きに形成された孔内に充填される砕石と、その砕石をくるむように配設された浸透シートとから構成されている。さらに、特許文献２では、桝底部の貫通穴から上向きに浸透筒が立設されており、その浸透筒の上口部を覆うようにフィルタが配設されている。
【特許文献１】特許第３９３２０５３号公報
【特許文献２】特許第４０３２３９６号公報
【発明の開示】
【発明が解決しようとする課題】
【０００６】
ところが、特許文献１の雨水浸透桝では、長期間の使用により落葉、ゴミ、土砂等が浸透桝の底部に堆積すると、雨水が浸透部材に流入し難くなり、浸透能力が減少してしまう。また、フィルタ材が目詰まりした場合、そのフィルタ材をガイドパイプから取り出して洗浄したり交換したりする必要があるため、その作業に手間が掛かってしまう。また、新品のフィルタ材に交換する場合、使用済みのフィルタ材がゴミとして廃棄されるため、その廃棄処理にコストが掛かる。
【０００７】
特許文献２の浸透桝は、桝内に立設される浸透筒の上口部から雨水を取り込み貫通孔の下方にある浸透部材を通して雨水を浸透させる構成であるため、浸透筒の上口部まで水位が上がらないと、浸透効果を得ることができない。また、特許文献２の浸透部材は、砕石と浸透シートとから構成されているため、目詰まりが生じたときに新品のものに交換することが困難であり、さらに、洗浄した場合でも浸透能力を十分に回復させることができない。
【０００８】
本発明は上記の課題に鑑みてなされたものであり、その目的は、メンテナンスが容易であり浸透能力を十分に確保することができる雨水浸透桝用フィルタを提供することにある。また、別の目的は、雨水浸透桝用フィルタの浸透能力を迅速かつ確実に回復させることができる雨水浸透桝のメンテナンス方法を提供することにある。
【課題を解決するための手段】
【０００９】
上記課題を解決するために、請求項１に記載の発明は、地中に埋設された既設雨水桝を加工して雨水浸透桝に改変するときに使用する雨水浸透桝用フィルタであって、前記既設雨水桝の底部に形成された貫通穴の下方に突出するよう配置され、底蓋を有し網目状かつ中空筒状の下部フィルタ材と、前記貫通穴の上方に突出するよう配置され、上蓋を有しかつ周面に複数の浸透孔が形成された中空筒状の上部フィルタ材と、前記貫通穴に嵌め込んだ状態で固定され、前記下部フィルタ材と前記上部フィルタ材とを接続するための継手部材と、前記継手部材の内側に設けられ、前記下部フィルタ材を通過して前記上部フィルタ材側に雨水または地下水が逆流することを防止するための逆流防止部材とを備え、前記逆流防止部材は、前記既設雨水桝に流入した雨水を上部フィルタ材側から下部フィルタ材側に排水するための排水用貫通穴が形成された堰板と、前記排水用貫通穴を開閉するための弁体と、前記弁体を作動させるための水膨張性ゴムとを備え、前記水膨張性ゴムは、水に浸かると膨張して前記弁体を押し上げることにより前記排水用貫通穴を閉状態とする一方、乾燥すると収縮して前記弁体を下降させることにより前記排水用貫通穴を開状態とすることを特徴とする雨水浸透桝用フィルタをその要旨とする。
【００１０】
請求項１に記載の発明によれば、従来技術のようにガイドパイプ内にフィルタ材を充填する構成ではなく、フィルタ全体が中空状になるため、フィルタ洗浄時の作業を軽減することができる。また、従来のフィルタ交換時のように、フィルタ材がゴミとして廃棄されることもないため、環境性やコスト性にも優れている。さらに、雨水浸透桝内に上部フィルタ材が突出しているので、雨水浸透桝の底部に落ち葉、ゴミ、土砂などが堆積した場合でも、上部フィルタ材の側面からフィルタ内に雨水を流入させることができ、浸透能力を十分に確保することができる。
また、本発明によれば、継手部材の内側に逆流防止部材を設けることにより、下部フィルタ材を通過して上部フィルタ材側に雨水または地下水が逆流することを防止できる。その結果、雨水浸透桝に接続されている雨水本管への排水量が増えてその本管の処理負荷が増大するといった問題を回避することができる。従って、逆流防止部材を有する雨水浸透桝用フィルタを用いることにより、地下水位が変動する場所でも、既設雨水桝を加工して雨水浸透桝に改変することが可能となる。
さらに本発明によれば、降雨時などにおいて浸透桝の底部（継手部材の位置）まで地下水位が上がり、逆流防止部材の水膨張性ゴムが水に浸かると、その水膨張性ゴムが膨張して弁体を押し上げる。そして、その弁体により、排水用貫通穴が閉状態とされ、地下水または雨水が下部フィルタ材側から上部フィルタ材側に逆流することが防止される。このような逆流防止部材を用いれば、フロートの浮力で弁体を作動させるものと比較して、弁体を確実に押し上げることができ、排水用貫通穴を確実に密閉できる。
【００１１】
請求項２に記載の発明は、請求項１において、前記下部フィルタ材は、網目構造を有する網状円筒管を用いて形成され、前記上部フィルタ材は、前記下部フィルタ材よりも目の粗い網目構造を有する網状円筒管を用いて形成されていることをその要旨とする。
【００１２】
請求項２に記載の発明によれば、下部フィルタ材は、網目の細かい網状円筒管を用いて形成されているので、十分な強度を確保することができる。また、上部フィルタ材は網目の粗い網状円筒管を用いて形成されているので、比較的サイズの大きな落ち葉やゴミなどがフィルタ内に入り込むことを防止できるとともに、フィルタ内に雨水を確実に流入させることができる。
【００１３】
請求項３に記載の発明は、請求項１または２において、前記上部フィルタ材は、前記継手部材に対して着脱可能に設けられていることをその要旨とする。
【００１４】
請求項３に記載の発明によれば、上部フィルタ材が継手部材に対して着脱可能に設けられているので、雨水浸透桝用フィルタの使用によって各フィルタ材が目詰まりした場合、上部フィルタ材を取り外すことにより、各フィルタ材の洗浄作業を容易に行うことができる。
【００１５】
請求項４に記載の発明は、請求項３において、前記上部フィルタ材は、その上端に径が大きな拡径部を有することをその要旨とする。
【００１６】
請求項４に記載の発明によれば、上部フィルタ材の上端に拡径部が形成されているので、着脱工具などを用いてその拡径部をつまむ際に着脱工具が引っ掛かりやすくなり、上部フィルタ材の着脱を容易にかつ落とすことなく行うことができる。しかも、この形状であると、上部フィルタ材の側面上端部に凸部が生じることで、側面に落ち葉やゴミなどが付着しにくくなる。
【００２１】
請求項５に記載の発明は、請求項１乃至４のいずれか１項に記載の雨水浸透桝用フィルタが装着された雨水浸透桝をメンテナンスする方法であって、前記継手部材から前記上部フィルタ材を取り外す工程と、前記下部フィルタ材の内側から高圧洗浄水を噴射することにより下部フィルタ材を洗浄した後、その下部フィルタ材の底部に残存している堆積物を吸引除去する工程とを含むことを特徴とする雨水浸透桝のメンテナンス方法をその要旨とする。
【００２２】
請求項５に記載の発明によれば、雨水浸透桝用フィルタにおいて、継手部材から上部フィルタ材が取り外され、下部フィルタ材の内側から高圧洗浄水を噴射することにより下部フィルタ材が効率よく洗浄される。その後、下部フィルタ材の底部に残存している堆積物が吸引除去される。また、継手部材から取り外した上部フィルタ材についても洗浄することにより、その上部フィルタ材に付着しているゴミ等が除去される。このようにすれば、雨水浸透桝用フィルタの浸透能力を迅速かつ確実に回復させることができる。
【発明の効果】
【００２３】
以上詳述したように、請求項１〜４に記載の発明によると、メンテナンスが容易で浸透能力を十分に確保することができる雨水浸透桝用フィルタを提供することができる。また、請求項５に記載の発明によると、雨水浸透桝用フィルタの浸透能力を迅速かつ確実に回復させることができる雨水浸透桝のメンテナンス方法を提供することができる。
【発明を実施するための最良の形態】
【００２４】
［第１の実施の形態］
【００２５】
以下、本発明を具体化した第１の実施の形態を図面に基づき詳細に説明する。
【００２６】
図１に示されるように、本実施の形態の雨水浸透桝１１は、有底の四角筒状に形成されたコンクリート製の桝本体１２と、桝本体１２の底部に装着された網目状円筒フィルタ１３（雨水浸透桝用フィルタ）とを備える。桝本体１２は、例えば、縦横３０ｃｍ、深さ９０ｃｍのサイズを有する。この桝本体１２の側壁には排出管１５が設けられおり、排出管１５は雨水本管１６に接続されている。具体的には、雨水本管１６は、舗装した道路の中央に設けられ、桝本体１２は、道路両脇の路肩の地中に設けられる。また、桝本体１２の上部の開口部１７には、簀子状の上蓋（グレーチング蓋）１８が装着され、路面に降った雨水はそのグレーチング蓋１８の隙間から桝本体１２内部に流入されて一旦蓄えられる。そして、桝本体１２に蓄えられた雨水は、排出管１５を介して下流側の雨水本管１６に排出され、さらにその雨水本管１６を介して河川に流される。
【００２７】
桝本体１２における底面中央には、円形の貫通穴１９が形成されている。そして、その貫通穴１９に下方には、土２０を掘削することでフィルタ収容穴２１が形成され、そのフィルタ収容穴２１内に網目状円筒フィルタ１３が配設されている。網目状円筒フィルタ１３は、貫通穴１９の下方に突出するよう配置された中空筒状の下部フィルタ材３１と、貫通穴１９の上方に突出するよう配置された中空筒状の上部フィルタ材３２と、貫通穴１９に嵌め込んだ状態で固定され、下部フィルタ材３１と上部フィルタ材３２とを接続するための継手部材３３とを備える。
【００２８】
図１及び図２に示されるように、網目状円筒フィルタ１３において、下部フィルタ材３１は、網目構造を有する二層式の網状円筒管を用いて形成されており、上部フィルタ材３２は、下部フィルタ材３１よりも目の粗い網目構造を有する一層式の網状円筒管を用いて形成されている。下部フィルタ材３１は、例えば直径が１５ｃｍ、長さ４０ｃｍのサイズであり、上部フィルタ材３２は、例えば直径１５ｃｍ、長さ２０ｃｍのサイズである。なお、下部フィルタ材３１及び上部フィルタ材３２の材質としては、例えば高密度ポリエチレンが用いられる。ここで、上部フィルタ材３２における網目を粗くすることにより、その上部フィルタ材３２を貫通する複数の浸透孔３４のサイズが大きくなるため、フィルタ１３内に雨水を確実に流入させることが可能となる。また、下部フィルタ材３１として二層式の網状円筒管を用いることにより、周囲に存在する土の圧力に耐え得る十分な耐圧性が確保される。さらに、下部フィルタ材３１は、各層の網目位置が若干ずれた状態で形成されており、下部フィルタ材３１の各浸透孔３５が少し斜めに貫通している。これにより、下部フィルタ材３１の周囲に存在する土砂等がフィルタ１３内に侵入し難くなっている。
【００２９】
網目状円筒フィルタ１３において、上部フィルタ材３２の上端には、径が大きな拡径部３６が形成されている。また、その上部フィルタ材３２の上端には、複数のスリット３７（細長い貫通穴）を有する塩化ビニール製の上蓋３８（図３（ａ）参照）が装着されており、下部フィルタ材３１の下端には、塩化ビニール製の底蓋３９（図３（ｂ）参照）が装着されている。なお、上蓋３８や底蓋３９は、塩化ビニール以外の樹脂材料や、金属、セラミック、ガラスなどの材料を用いて形成してもよい。また、上蓋３８としては、フィルタ材３２と同様の網目構造を有する網目状部材を用いて形成してもよい。
【００３０】
底蓋３９は、円環状の枠体４０と、その枠体４０の内側を塞ぐように設けられた網目部４１とを有する。底蓋３９の網目部４１は、下部フィルタ材３１の下端（フィルタ収容穴２１の底部）よりも若干上方に設けられており、その網目部４１には十字状のリブ４２が補強のために設けられている。このようにすれば、底蓋３９の強度を十分に保つことができ、かつ、フィルタ装着時に土２０の圧力が網目部４１に加わり難くなるため、網目部４１が破損して土２０がフィルタ１３内部に入り込んでしまうといった問題が回避される。
【００３１】
継手部材３３は、塩化ビニールによって円筒状に形成されており、一方の端部（図２では上端）に鍔部４３が形成されている。そして、継手部材３３における鍔部４３が貫通穴１９の外周部に接着固定される。また、継手部材３３の内壁面においてその略中央に係止用凸部４５が設けられている。本実施の形態では、上部フィルタ材３２の下端に係止金具４６が設けられており、その係止金具４６が継手部材３３の係止用凸部４５に係合することで上部フィルタ材３２が継手部材３３に着脱可能に固定されている。一方、下部フィルタ材３１は、その上端が継手部材３３の係止用凸部４５の位置まで挿入された状態で接着剤を用いて継手部材３３に固定されている。なお、本実施の形態では、係止用凸部４５及び係止金具４６を用いて上部フィルタ材３２が継手部材３３に固定されているが、これら係止用凸部４５及び係止金具４６を省略して、継手部材３３上に上部フィルタ材３２を載置する構成に変更してもよい。
【００３２】
本実施の形態の雨水浸透桝１１は、道路の路肩に埋設された既設雨水桝１０（図４参照）を加工することで形成される。以下、既設雨水桝１０を雨水浸透桝１１に改変するための雨水浸透桝化工法について説明する。
【００３３】
先ず、既設雨水桝１０のグレーチング蓋１８を開け、建設工事用の掃除機を使用して、桝本体１２内の雨水や泥などを除去する（図５（ａ）参照）。そして、桝本体１２の底が確認できる状態にした後、コンクリートカッター５１により桝本体１２の底面を切削して円形の貫通穴１９を形成する（図５（ｂ）参照）。この後、スクリューオーガー５２を用いて、貫通穴１９の下方にある土２０を掘削してフィルタ収容穴２１を形成する（図５（ｃ）参照）。この際、スクリューオーガー５２によって掘削された土２０は、建設工事用の掃除機等によって除去される。
【００３４】
次に、網目状円筒フィルタ１３を準備して、網目状円筒フィルタ１３における継手部材３３の鍔部４３の下面に接着剤を塗布する。その後、図５（ｄ）に示されるように、網目状円筒フィルタ１３の下部フィルタ材３１側を桝本体１２底部の貫通穴１９を通してフィルタ収容穴２１内に収納し、継手部材３３の鍔部４３を貫通穴１９の外周部に接着固定する。この結果、桝本体１２の底部にフィルタ１３が装着される。そして、図１に示されるように、桝本体１２の上部にグレーチング蓋１８を装着することで、既設雨水桝１０を雨水浸透桝１１に改変するための作業が完了する。
【００３５】
また、長期間使用した雨水浸透桝１１をメンテナンスする場合、桝本体１２の底部に溜まった泥やゴミを除去した後、着脱工具５５を利用して上部フィルタ材３２の拡径部３６を挟み込み、上部フィルタ材３２を継手部材３３から取り外す（図６（ａ）参照）。そして、桝本体１２の上方から下部フィルタ材３１の内側に高圧洗浄機のノズル５６を挿入して高圧洗浄水Ｗ１を噴射することにより下部フィルタ材３１を洗浄する（図６（ｂ）参照）。その後、下部フィルタ材３１の底部に残存している堆積物を建設工事用の掃除機を使用して吸引除去する。また、継手部材３３から取り外した上部フィルタ材３２についても洗浄水やエアを用いて洗浄することにより、その上部フィルタ材３２に付着しているゴミ等が除去される。この後、着脱工具５５を利用して、上部フィルタ材３２を継手部材３３に再装着する。このようなメンテナンス作業を行うことで、雨水浸透桝１１の浸透能力が施工時の状態に回復される。
【００３６】
従って、本実施の形態によれば以下の効果を得ることができる。
【００３７】
（１）本実施の形態の網目状円筒フィルタ１３は、従来技術のようにガイドパイプ内にフィルタ材を充填する構成ではなく、中空筒状の上部フィルタ材３２及び下部フィルタ材３１にて構成されているため、その洗浄作業を軽減することができる。また、従来技術のように、交換時にフィルタ材がゴミとして廃棄されることもない。さらに、雨水浸透桝１１の桝本体１２内に上部フィルタ材３２が突出して設けられているので、雨水浸透桝１１の底部に落ち葉、ゴミ、土砂などが堆積した場合でも、上部フィルタ材３２の側面からフィルタ１３内に雨水を流入させることができ、その浸透能力を十分に確保することができる。
【００３８】
（２）本実施の形態の網目状円筒フィルタ１３において、下部フィルタ材３１は、網目の細かい二層式の網状円筒管を用いて形成されているので、周囲に存在する土２０の圧力に耐え得る十分な強度を確保することができる。一方、上部フィルタ材３２は、網目の粗い網状円筒管を用いて形成されているので、比較的サイズの大きな落ち葉やゴミなどがフィルタ１３内に入り込むことを防止できるとともに、フィルタ１３内に雨水を確実に流入させることができる。
【００３９】
（３）本実施の形態の網目状円筒フィルタ１３は、上部フィルタ材３２が継手部材３３に対して着脱可能に設けられているので、長期間の使用によって各フィルタ材３１，３２が目詰まりした場合、上部フィルタ材３２を取り外すことにより、各フィルタ材３１，３２の洗浄作業を容易に行うことができる。具体的には、継手部材３３から上部フィルタ材３２が取り外された後、下部フィルタ材３１の内側から高圧洗浄水Ｗ１を噴射することにより下部フィルタ材３１が効率よく洗浄される。その後、下部フィルタ材３１の底部に残存している堆積物が吸引除去される。また、継手部材３３から取り外した上部フィルタ材３２についても洗浄することにより、その上部フィルタ材３２に付着しているゴミ等が除去される。このようにすれば、網目状円筒フィルタ１３の浸透能力を迅速かつ確実に回復させることができる。
【００４０】
（４）本実施の形態の網目状円筒フィルタ１３は、上部フィルタ材３２の上端に拡径部３６が形成されているので、着脱工具５５を用いてその拡径部３６をつまむことにより、上部フィルタ材３２の着脱を容易に行うことができる。
【００４１】
（５）本実施の形態の網目状円筒フィルタ１３は、従来のフィルタのように内部にフィルタ材を充填する構成ではなく、中空筒状のフィルタ材３１，３２により構成されているため、そのサイズを小さくすることができ、製造コストも低減することができる。
【００４２】
（６）本実施の形態の場合、既設雨水桝１０の桝本体１２を地中に埋設したままの状態で加工してその底部に貫通穴１９が形成され、その貫通穴１９に網目状円筒フィルタ１３が装着される。このようにすれば、既設雨水桝１０を地中から掘り起こすことなく、その雨水桝１０を雨水浸透桝１１に改変することができる。従って、新規の雨水浸透桝に取り替える場合と比較して、簡単かつ迅速に雨水浸透桝１１を施工することができ、その施工コストを半分以下のコストに抑えることができる。また、既設雨水桝１０を雨水浸透桝１１に改変することにより、大雨時において、雨水本管１６の負荷を軽減することができ、都市洪水を防止することが可能となる。さらに、舗装路に降った雨水をその舗装路の地中に返すことができ、水の自然循環を助成することができる。
【００４３】
（７）本実施の形態の雨水浸透桝１１は、桝本体１２の底面に円形の貫通穴１９が形成され、その貫通穴１９に網目状円筒フィルタ１３が装着されるので、良好な外観を確保することができる。
［第２の実施の形態］
【００４４】
次に、本発明を具体化した第２の実施の形態を説明する。本実施の形態では、網目状円筒フィルタ１３における継手部材３３の内側に逆流防止部材を設けた点が第１の実施の形態と異なり、他の構成は第１の実施の形態と同一である。以下、逆流防止部材６１の構成について、図７及び図８を用いて詳述する。図７は、網目状円筒フィルタ１３の要部断面図であり、図８は、逆流防止部材６１の下面図である。
【００４５】
図７及び図８に示されるように、逆流防止部材６１は、中央部に排水用貫通穴６２が形成された円板状の堰板６３と、排水用貫通穴６２を開閉するための弁体６４と、弁体６４を作動させるための水膨張性ゴム６５と、水膨張性ゴム６５を固定するための本体６６とを備える。本体６６は、上端が堰板６３に固定される４本のガイド部６７と、各ガイド部６７の下方に設けられ、水膨張性ゴム６５を収容する筒部６８とを有する。この筒部６８の底には、十字型の固定部６９が設けられ、その十字型の固定部６９に水膨張性ゴム６５の下端が当接した状態で固定されている。そして、堰板６３の外縁部が継手部材３３の係止用凸部４５上に載置され、本体６６、弁体６４、及び水膨張性ゴム６５が下部フィルタ材３１の内側に収納されるようになっている。
【００４６】
水膨張性ゴム６５は、円柱状をなし、その上部に弁体６４が接続されている。なお、水膨張性ゴム６５の形状は、円柱形状以外に、三角柱や四角柱などの任意の形状に変更してもよい。弁体６４は、例えばポリエチレンを用いてカサ状に形成されている。弁体６４の外周部には切り欠き７０が設けられており、その弁体６４の切り欠き７０がガイド部６７に嵌め込まれている。このように弁体６４を形成することで、その弁体６４がガイド部６７に沿って上下方向に移動可能となっている。水膨張性ゴム６５は、その直径が弁体６４の直径よりも小さく、弁体６４の下方に隠れるように配置されている。これにより、堰板６３の排水用貫通穴６２を通して流入する雨水が水膨張性ゴム６５に掛からないようになっている。また、排水用貫通穴６２の内周面には、ゴムからなるシール部材７１が設けられており、弁体６４の密着性が高められる。
【００４７】
上記のように構成した逆流防止部材６１は、オプション部品として網目状円筒フィルタ１３に装着可能となっている。すなわち、地下水位の変動が大きな場所に埋設された既設雨水桝１０を雨水浸透桝１１に改変するときに、逆流防止部材６１を装着した網目状円筒フィルタ１３が使用される。この場合、図９に示されるように、降雨量や海水面の上昇などの影響を受けて地下水位が上昇し、水膨張性ゴム６５が水に浸かると、その水膨張性ゴム６５が膨張して弁体６４を押し上げる。そして、その弁体６４により、排水用貫通穴６２が閉状態とされ、地下水または雨水が下部フィルタ材３１側から上部フィルタ材３２側に逆流することが防止される。また、地下水位が下がり、水膨張性ゴム６５が乾燥すると、その水膨張性ゴム６５が収縮して弁体６４を下降させる。これにより、排水用貫通穴６２が開状態となり、雨水が排水用貫通穴６２を通して下部フィルタ材３１側に流入するため、フィルタ１３の浸透機能を回復させることができる。このような逆流防止部材６１を用いれば、フロートの浮力で弁体を作動させるものと比較して、弁体６４を確実に押し上げることができ、弁体６４と排水用貫通穴６２との隙間にゴミなどを挟み込んだ場合でもその排水用貫通穴６２を確実に密閉することができる。
【００４８】
なお、本発明の各実施の形態は以下のように変更してもよい。
【００４９】
・上記第２の実施の形態では、水膨張性ゴム６５により弁体６４を作動させる逆流防止部材６１を用いたが、これ以外にフロートを用いて弁体を作動させる逆流防止部材を用いてもよい。
【００５０】
・上記各実施の形態において、雨水浸透桝用フィルタとしての網目状円筒フィルタ１３の形状は、円筒形状に限定されるものではなく、三角筒形状や四角筒形状などの他の形状に変更してもよい。
・上記各実施の形態において、網目状円筒フィルタ１３を構成する下部フィルタ材３１及び上部フィルタ材３２は、高密度ポリエチレンを用いて形成されていたが、他の合成樹脂、金属、セラミックなどの材料を用いて形成してもよい。また、下部フィルタ材３１は、二層式の網状円筒管を用いて形成していたが、上部フィルタ材３２と同様に、一層式の薄厚タイプの網状円筒管を用いて形成してもよい。さらに、上部フィルタ材３２は、その上端に拡径部３６が設けられていたが、拡径部３６が設けられていない網状円筒管を用いてもよい。このようにすれば、網目状円筒フィルタ１３の製造コストを低減することができる。
【００５１】
・上記各実施の形態では、円形コンクリートカッター５１を用いて桝本体１２の底面に貫通穴１９を形成したが、それ以外の切削工具（例えば、ハンマーなどの工具）を用いてもよい。また、スクリューオーガー５２の代わりに、ダブルスコップなどを用いてフィルタ収容穴２１を形成してもよい。さらに、円形コンクリートカッターの内側に掘削用のドリルを納めた回転切削工具を用いて、貫通穴１９とフィルタ収容穴２１とを形成してもよい。
【００５２】
・上記各実施の形態では、道路の路肩に埋設された既設雨水桝１０を加工するものであったが、これ以外に駐車場などの舗装された場所や各家庭の庭に埋設された既設雨水桝１０を加工して雨水浸透桝１１に改変してもよい。
【００５３】
次に、特許請求の範囲に記載された技術的思想のほかに、前述した各実施の形態によって把握される技術的思想を以下に列挙する。
【００５４】
（１）前記下部フィルタ材は、前記上部フィルタ材よりも厚さが厚く耐圧性に優れた網状円筒管を用いて形成されていることを特徴とする請求項１乃至６のいずれか１項に記載の雨水浸透桝用フィルタ。
【００５５】
（２）前記下部フィルタ材は、合成樹脂製の多層網状円筒管からなることを特徴とする請求項１乃至６のいずれか１項に記載の雨水浸透桝用フィルタ。
【図面の簡単な説明】
【００５６】
【図１】本発明を具体化した第１の実施の形態の雨水浸透桝を示す断面図。
【図２】第１の実施の形態の網目状円筒フィルタを示す断面図。
【図３】（ａ）は上蓋を示す平面図、（ｂ）は底蓋を示す平面図。
【図４】既設雨水桝を示す断面図。
【図５】（ａ）〜（ｄ）は雨水浸透桝化工法を説明するための断面図。
【図６】（ａ），（ｂ）は、雨水浸透桝のメンテナンス方法を示す説明図。
【図７】第２の実施の形態の網目状円筒フィルタを示す要部断面図。
【図８】逆流防止部材を示す下面図。
【図９】逆流防止部材の動作を説明するための要部断面図。
【符号の説明】
【００５７】
１０…既設雨水桝
１１…雨水浸透桝
１３…雨水浸透桝用フィルタとしての網目状円筒フィルタ
１９…貫通穴
３１…下部フィルタ材
３２…上部フィルタ材
３３…継手部材
３４…浸透孔
３６…拡径部
３８…上蓋
３９…底蓋
６１…逆流防止部材
６２…排水用貫通穴
６３…堰板
６４…弁体
６５…水膨張性ゴム
Ｗ１…高圧洗浄水
【図１】
0005101379.tif 000002
【図２】
0005101379.tif 000003
【図３】
0005101379.tif 000004
【図４】
0005101379.tif 000005
【図５】
0005101379.tif 000006
【図６】
0005101379.tif 000007
【図７】
0005101379.tif 000008
【図８】
0005101379.tif 000009
【図９】
0005101379.tif 000010